(57)【特許請求の範囲】
【請求項１】
端末において利用されるオペレータ構成情報をロードするための方法であって、
前記端末の取得モジュールが、前記端末のＳＩＭカード情報を読み取るステップと、
前記取得モジュールが、前記端末のネットワーク識別情報を取得するステップであり、前記ネットワーク識別情報が、モバイル・カントリー・コードＭＣＣ及びモバイル・ネットワーク・コードＭＮＣを含む、取得するステップと、
前記端末の決定モジュールが、前記ＭＣＣ及び前記ＭＮＣに対応するオペレータ構成情報のグループの数を決定するため、所定の構成ライブラリに問い合わせるステップと、
前記取得モジュールが、前記決定されたオペレータ構成情報のグループの数に従って、前記端末がオペレータ構成情報の少なくとも２つのグループに対応するということが決定されたときに、前記ＳＩＭカード情報から前記端末の２次ネットワーク識別情報を取得するステップであり、前記２次ネットワーク識別情報がグループ識別子ＧＩＤを含む、取得するステップと、
前記端末のローディング・モジュールが、前記２次ネットワーク識別情報に従って前記端末に対応する前記オペレータ構成情報の少なくとも２つのグループの１つを取得してロードするステップとを備える方法。
【請求項２】
請求項１に記載の方法であって、
前記端末がオペレータ構成情報の１つのグループに対応するということが決定されたときに前記オペレータ構成情報の唯一のグループをロードするステップ
をさらに含む、方法。
【請求項３】
請求項１に記載の方法であって、
前記端末がオペレータ構成情報のゼロ個のグループに対応するということが決定されたときにデフォルト構成情報を取得してロードするステップ
をさらに含む、方法。
【請求項４】
取得モジュール、決定モジュール及びローディング・モジュールを備える端末であって、
前記取得モジュールが、前記端末のＳＩＭカード情報を読み取り、端末のネットワーク識別情報を取得するよう構成され、前記ネットワーク識別情報はモバイル・カントリー・コードＭＣＣ及びモバイル・ネットワーク・コードＭＮＣを含み、
前記決定モジュールは、前記ＭＣＣ及び前記ＭＮＣに対応するオペレータ構成情報のグループの数を決定するため、所定の構成ライブラリに問い合わせるよう構成され、
前記取得モジュールは更に、前記決定されたオペレータ構成情報のグループの数に従って、前記端末がオペレータ構成情報の少なくとも２つのグループに対応するということが決定されたときに、前記ＳＩＭカード情報から前記端末の２次ネットワーク識別情報を取得するように構成されており、前記２次ネットワーク識別情報がグループ識別子ＧＩＤを含み、
前記ローディング・モジュールが、前記２次ネットワーク識別情報に従って前記端末に対応する前記オペレータ構成情報の少なくとも２つのグループの１つを取得してロードするように構成されている、
端末。
【請求項５】
請求項４に記載の端末であって、
前記ローディング・モジュールが、前記端末がオペレータ構成情報の１つのグループに対応するということが決定されたときに前記オペレータ構成情報の唯一のグループをロードするようにさらに構成されている、
端末。
【請求項６】
請求項４に記載の端末であって、
前記ローディング・モジュールが、前記端末がオペレータ構成情報のゼロ個のグループに対応するということが決定されたときにデフォルト構成情報を取得してロードするようにさらに構成されている、
端末。
【発明の詳細な説明】
【技術分野】
【０００１】
本発明は、通信技術の分野に関し、詳細には、オペレータ構成情報をロードするための方法及び端末に関する。
【背景技術】
【０００２】
通信技術の急速な発展に伴って、新たなタイプのモバイル・ネットワーク・オペレータ、すなわち、モバイル仮想ネットワーク・オペレータ（Ｍｏｂｉｌｅ  Ｖｉｒｔｕａｌ  Ｎｅｔｗｏｒｋ  Ｏｐｅｒａｔｏｒ、ＭＶＮＯ、モバイル仮想ネットワーク・オペレータ）が登場している。従来のモバイル・ネットワーク・オペレータ（Ｍｏｂｉｌｅ  Ｎｅｔｗｏｒｋ  Ｏｐｅｒａｔｏｒ、ＭＮＯ、モバイル・ネットワーク・オペレータ）とは異なり、ＭＶＮＯは、ネットワークを所有せず、ＭＮＯのネットワークをリースする。したがって、複数のオペレータ（複数のＭＶＮＯ、及び／又は少なくとも１つのＭＮＯ）が同じネットワークを使用するケースが発生する。別々のオペレータは、ダイヤリング・パラメータ及びネットワーク・パラメータなどのパラメータに関して別々の要件を有するため、オペレータどうしを区別し、オペレータ構成情報を自動的にロードし、１つの端末がさまざまなタイプのオペレータに適合することを確実にすることが、きわめて重要である。
【０００３】
従来技術においては、別々のオペレータは一般に、モバイル・カントリー・コード（Ｍｏｂｉｌｅ  Ｃｏｕｎｔｒｙ  Ｃｏｄｅ、ＭＣＣ）及びモバイル・ネットワーク・コード（Ｍｏｂｉｌｅ  Ｎｅｔｗｏｒｋ  Ｃｏｄｅ、ＭＮＣ）によって区別され、そして、対応するオペレータ構成情報がロードされる。ＭＶＮＯが存在するときには、ＭＶＮＯ及びＭＮＯが同じネットワークを使用する場合、又は複数のＭＶＮＯが同じネットワークを共有する場合がある。１つのネットワークは、１つのＭＣＣ及び１つのＭＮＣに対応する。したがって端末は、ＭＣＣ及びＭＮＣに従っては１つのオペレータを決定することができず、ましてや、正しいオペレータ構成情報を自動的にロードすることはできない。その結果、従来技術は、別々のＭＮＯだけは区別することができるが、別々のＭＶＮＯを区別すること、又はＭＮＯからＭＶＮＯを区別することができず、１つの端末をさまざまなタイプのオペレータに適合させることができない。
【発明の概要】
【発明が解決しようとする課題】
【０００４】
本発明の実施形態によって解決されることになる技術的な課題は、オペレータ構成情報をロードするための方法及び端末を提供することであり、それによって端末は、オペレータを正しく区別すること、及び正しいオペレータ構成情報を自動的にロードすることが可能になる。
【課題を解決するための手段】
【０００５】
上述の技術的な課題を解決するために、本発明の一実施形態は、オペレータ構成情報をロードするための方法を提供し、該方法は、
端末のネットワーク識別情報を取得する取得ステップであり、該ネットワーク識別情報が、モバイル・カントリー・コードＭＣＣ及びモバイル・ネットワーク・コードＭＮＣを含む、取得ステップと、
端末がオペレータ構成情報の少なくとも２つのグループに対応するということがネットワーク識別情報に従って決定されたときに端末の２次ネットワーク識別情報を取得する取得ステップであり、該２次ネットワーク識別情報がグループ識別子ＧＩＤを含む、取得ステップと、
２次ネットワーク識別情報に従って端末に対応するオペレータ構成情報を取得してロードする取得ステップとを含む。
【０００６】
端末のネットワーク識別情報を取得する取得ステップは特に、
端末のＳＩＭカード情報を読み取って、ＭＣＣ及びＭＮＣを含むネットワーク識別情報を取得する取得ステップを含む。
【０００７】
ＳＩＭ（Ｓｕｂｓｃｒｉｂｅｒ  Ｉｄｅｎｔｉｔｙ  Ｍｏｄｕｌｅ、サブスクライバ・アイデンティティ・モジュール）カードは、スマート・カード又は加入者識別カードとも呼ばれ、デジタル携帯電話は、そのようなカードを装備された後にのみ使用されることが可能である。ＳＩＭカードは、デジタル携帯電話加入者に関する情報、暗号化されたキー、及び加入者のアドレス帳などのコンテンツを格納するためにコンピュータ・チップを使用し、携帯電話サービス加入者の識別データを格納するスマート・カードである。
【０００８】
端末の２次ネットワーク識別情報を取得する取得ステップは特に、
端末のＳＩＭカード情報内のグループ識別子ＧＩＤを取得する取得ステップを含む。
【０００９】
端末がオペレータ構成情報の少なくとも２つのグループに対応するということがネットワーク識別情報に従って決定されたときに端末の２次ネットワーク識別情報を取得する取得ステップの前に、該方法は、
ＭＣＣ及びＭＮＣに対応するオペレータ構成情報のグループの数を決定するためにプリセット構成ライブラリ又は構成ファイルに問い合わせる問合せステップをさらに含む。
【００１０】
該方法は、
端末がオペレータ構成情報の１つのグループに対応するということが決定されたときにオペレータ構成情報のその唯一のグループをロードするロードステップをさらに含む。
【００１１】
該方法は、
端末がオペレータ構成情報のゼロ個のグループに対応するということが決定されたときにデフォルト構成情報を取得してロードするステップをさらに含む。
【００１２】
それに対応して、本発明の一実施形態は、取得モジュール及びローディング・モジュールを含む端末をさらに提供し、
取得モジュールは、端末のネットワーク識別情報を取得するように、及び、端末がオペレータ構成情報の少なくとも２つのグループに対応するということがネットワーク識別情報に従って決定されたときに端末の２次ネットワーク情報を取得するように構成されており、ネットワーク識別情報は、モバイル・カントリー・コードＭＣＣ及びモバイル・ネットワーク・コードＭＮＣを含み、２次ネットワーク識別情報はグループ識別子ＧＩＤを含み、
ローディング・モジュールは、２次ネットワーク識別情報に従って端末に対応するオペレータ構成情報を取得してロードするように構成されている。
【００１３】
取得モジュールは特に、
端末のＳＩＭカード情報を読み取って、ＭＣＣ及びＭＮＣを含むネットワーク識別情報を取得するように構成されている第１取得ユニットを含む。
【００１４】
取得モジュールは特に、
端末のＳＩＭカード情報内のグループ識別子ＧＩＤを取得するように構成されている第２取得ユニットをさらに含む。
【００１５】
該端末は、
ＭＣＣ及びＭＮＣに対応するオペレータ構成情報のグループの数を決定するためにプリセット構成ライブラリに問い合わせるように構成されている決定モジュールをさらに含む。
【００１６】
ローディング・モジュールは、端末がオペレータ構成情報の１つのグループに対応するということが決定されたときにオペレータ構成情報のその唯一のグループをロードするようにさらに構成されている。
【００１７】
ローディング・モジュールは、端末がオペレータ構成情報のゼロ個のグループに対応するということが決定されたときにデフォルト構成情報を取得してロードするようにさらに構成されている。
【００１８】
本発明の実施形態の実装は、下記の有益な効果を有する。
【００１９】
本発明の実施形態においては、端末のＳＩＭカード情報内のＭＣＣ、ＭＮＣ、及びＧＩＤを取得することによって、端末がＭＶＮＯ又はＭＮＯ並びに異なるＭＶＮＯに対応するかどうかが区別されることが可能であり、端末に対応するオペレータ構成情報が、取得されたＭＣＣ、ＭＮＣ、及びＧＩＤに従って端末のプリセット構成ライブラリから自動的に取得されてロードされることが可能であり、それによって、１つの端末がさまざまなタイプのオペレータに適合され、加入者経験が改善される。
【００２０】
本発明の実施形態における、又は従来技術における技術的な解決策をより明確に説明するために、以降では、それらの実施形態又は従来技術を説明する上で必要とされる添付の図面を簡単に紹介する。明らかに、以降の説明における添付の図面は、本発明のいくつかの実施形態を示しているにすぎず、当業者なら、それでもなお、創造的な取り組みを伴わずにこれらの添付の図面からその他の図面を導き出し得る。
【図面の簡単な説明】
【００２１】
【図１】本発明による端末の第１実施形態の概略構造図である。
【図２】本発明による端末の第２実施形態の概略構造図である。
【図３】本発明による、オペレータ構成情報をロードするための方法の第１実施形態のフローチャートである。
【図４】本発明による、オペレータ構成情報をロードするための方法の第２実施形態のフローチャートである。
【発明を実施するための形態】
【００２２】
以降では、本発明の実施形態における添付の図面を参照しながら本発明の実施形態における技術的な解決策を明確にかつ完全に説明する。明らかに、説明されている実施形態は、本発明の実施形態のうちのすべてではなく、一部にすぎない。当業者によって本発明の実施形態に基づいて創造的な取り組みを伴わずに得られるその他のすべての実施形態は、本発明の保護範囲に入る。
【００２３】
図１を参照すると、図１は、本発明による端末の第１実施形態の概略構造図である。図１において示されているように、該端末は、取得モジュール１０及びローディング・モジュール２０を含む。
【００２４】
取得モジュール１０は、端末のネットワーク識別情報を取得するように、及び、端末がオペレータ構成情報の少なくとも２つのグループに対応するということがネットワーク識別情報に従って決定されたときに端末の２次ネットワーク識別情報を取得するように構成されており、ネットワーク識別情報は、モバイル・カントリー・コードＭＣＣ及びモバイル・ネットワーク・コードＭＮＣを含み、２次ネットワーク識別情報はグループ識別子ＧＩＤを含む。
【００２５】
具体的には、該端末は、携帯電話、ＰＣ（Ｐｅｒｓｏｎａｌ  Ｃｏｍｐｕｔｅｒ、パーソナル・コンピュータ）、又はデータ・カード（ＵＳＢモデム、すなわち、ワイヤレス・ネットワーク・カードとも呼ばれる）などの通信デバイスであり得る。この実施形態においては、説明のための一例として携帯電話が使用されている。
【００２６】
オペレータ構成情報は、異なるオペレータの異なるパラメータ要件に従って設定される。１つのオペレータは、少なくとも１つの構成パラメータ、たとえば、ダイヤリング・パラメータ又はネットワーク・パラメータを含む構成情報の１つのグループに対応し得る。
【００２７】
取得モジュール１０は、携帯電話のネットワーク識別情報を取得し、該ネットワーク識別情報は、ＭＣＣ及びＭＮＣを含む。ＭＣＣは、携帯電話が属する国を一意に識別するために使用され、３つの１０進数（コーディング範囲：０００〜９９９）によって形成され、たとえば、中国のＭＣＣは４６０である。ＭＮＣは、携帯電話が属するモバイル・ネットワークを識別するために使用され、２つの１０進数（コーディング範囲：００〜９９）によって形成され、たとえば、チャイナ・モバイルのＭＮＣは００であり、チャイナ・ユニコムのＭＮＣは０１である。ＭＣＣとＭＮＣの組合せは、異なる従来のＭＮＯを区別し得る。
【００２８】
携帯電話がオペレータ構成情報の少なくとも２つのグループに対応するということがネットワーク識別情報に従って決定されたときには、携帯電話が具体的にどのオペレータに対応するかをＭＣＣ及びＭＮＣのみに従って区別することはできない。なぜなら、１つのオペレータは構成情報の１つのグループに対応するためである。この場合、取得モジュール１０は、引き続き携帯電話の２次ネットワーク識別情報を取得する必要があり、該２次ネットワーク識別情報は、グループ識別子ＧＩＤ（Ｇｒｏｕｐ  Ｉｄｅｎｔｉｆｉｅｒ）を含む。ＧＩＤは、携帯電話に対応するオペレータを一意に識別するために使用される。取得モジュール１０が携帯電話のＧＩＤを取得した後には、携帯電話に対応するオペレータを決定することができる。結果として、異なるＭＶＮＯが区別され得、又はＭＶＮＯとＭＮＯとが区別され得る。
【００２９】
ローディング・モジュール２０は、取得モジュール１０によって取得された２次ネットワーク識別情報に従って端末に対応するオペレータ構成情報を取得してロードするように構成されている。
【００３０】
具体的には、取得モジュール１０によって取得された２次ネットワーク識別情報に従って、ローディング・モジュール２０は、携帯電話が具体的にどのオペレータに対応するかを決定でき、携帯電話に対応するオペレータ構成情報を正確に取得でき、並びに、ダイヤリング・パラメータ及びネットワーク・パラメータなどの、オペレータ構成情報内の構成パラメータをロードすることができる。
【００３１】
本発明のこの実施形態においては、端末のネットワーク識別情報及び２次ネットワーク識別情報を取得することによって、端末がＭＶＮＯ又はＭＮＯ並びに異なるＭＶＮＯに対応するかどうかが区別されることでき、端末に対応するオペレータ構成情報が、取得されたネットワーク識別情報及び２次ネットワーク識別情報に従って端末のプリセット構成ライブラリから自動的に取得されてロードされることができ、それによって、１つの端末がさまざまなタイプのオペレータに適合され、加入者経験が改善される。
【００３２】
図２を参照すると、図２は、本発明による端末の第２実施形態の概略構造図である。図２において示されているように、該端末は、取得モジュール１０及びローディング・モジュール２０を含み、これらは、上述の端末の第１実施形態において提供されている。この実施形態においては、該端末は、決定モジュール３０をさらに含む。
【００３３】
取得モジュール１０は特に、
端末のＳＩＭカード情報を読み取って、ＭＣＣ及びＭＮＣを含むネットワーク識別情報を取得するように構成されている第１取得ユニット１０１を含む。
【００３４】
具体的には、第１の取得ユニット１０１は、はじめに携帯電話のＳＩＭ（Ｓｕｂｓｃｒｉｂｅｒ  Ｉｄｅｎｔｉｔｙ  Ｍｏｄｕｌｅ、加入者・アイデンティティ・モジュール）カード情報を読み取り、そして、ＭＣＣ及びＭＮＣを含むネットワーク識別情報を取得する。
【００３５】
取得モジュール１０は特に、
端末のＳＩＭカード情報内のグループ識別子ＧＩＤを取得するように構成されている第２取得ユニット１０２をさらに含む。
【００３６】
具体的には、第２取得ユニット１０２は、携帯電話のＳＩＭカード情報からＧＩＤを取得する。
【００３７】
決定モジュール３０は、第１取得ユニット１０１によって取得されたＭＣＣ及びＭＮＣに対応するオペレータ構成情報のグループの数を決定するためにプリセット構成ライブラリに問い合わせるように構成されている。
【００３８】
具体的には、携帯電話は、構成ライブラリ又は構成ファイルを形成するためにさまざまなタイプの既存のオペレータ（さまざまなＭＮＯ及びさまざまなＭＶＮＯを含む）の構成情報を事前に格納しておくことができ、それによって携帯電話は、既存のオペレータに適合する。もちろん、オペレータのサービスが発展するにつれて新たなＭＮＯ又はＭＶＮＯが登場したときには、その新たなＭＮＯ又はＭＶＮＯのサービスは、対応するオペレータ構成情報が携帯電話の構成ライブラリ内に追加される限り、携帯電話を交換する必要を伴わずにサポートされることができる。結果として、パーソナライズされたオペレーション・スキームが実装される。
【００３９】
ＭＶＮＯ及びＭＮＯが同じネットワークを使用する場合、又は複数のＭＶＮＯが同じネットワークを共有する場合があるということに注意されたい。１つのネットワークは、１つのＭＣＣ及びＭＮＣに対応し、１つのオペレータは、構成情報の１つのグループに対応するため、１つのＭＣＣ及びＭＮＣが、プリセット構成ライブラリ又は構成ファイル内のオペレータ構成情報の少なくとも２つのグループに対応する場合がある。
【００４０】
決定モジュール３０は、ＭＣＣ及びＭＮＣに対応するオペレータ構成情報のグループの数を決定するために、第１取得ユニット１０１によって取得されたＭＣＣ及びＭＮＣに従ってプリセット構成ライブラリに問い合わせる。
【００４１】
ローディング・モジュール２０は、端末がオペレータ構成情報の１つのグループに対応するということを決定モジュール３０が決定したときには、オペレータ構成情報のその唯一のグループをロードするようにさらに構成されている。
【００４２】
具体的には、携帯電話がオペレータ構成情報の１つのグループに対応するということを決定モジュール３０が決定したときには、それは、その携帯電話に対応するオペレータが従来のＭＮＯであるということ、及びその従来のＭＮＯとの間でネットワークを共有するＭＶＮＯは存在しないということを示している。したがって、ローディング・モジュール２０は、オペレータ構成情報のその唯一のグループを直接ロードし、携帯電話を正しいオペレータ構成情報に適合させる。
【００４３】
ローディング・モジュール２０は、端末がオペレータ構成情報のゼロ個のグループに対応するということを決定モジュール３０が決定したときには、デフォルト構成情報を取得してロードするようにさらに構成されている。
【００４４】
具体的には、携帯電話がオペレータ構成情報のゼロ個のグループに対応するということを決定モジュール３０が決定したときには、それは、決定モジュール３０が携帯電話の構成ライブラリの検索において、第１取得ユニット１０１によって取得されたＭＣＣ及びＭＮＣに対応するオペレータ構成情報を見つけ出すことができないということを示している。そして、ローディング・モジュール２０は、携帯電話のデフォルト構成情報を取得してロードする。この場合が発生するのは、おそらくは、携帯電話に対応するオペレータが既存のオペレータではなく、そのオペレータの構成情報が携帯電話の構成ライブラリ内に事前に格納されていないためである。
【００４５】
本発明の実施形態においては、端末のＳＩＭカード情報内のＭＣＣ、ＭＮＣ、及びＧＩＤを取得することによって、端末がＭＶＮＯ又はＭＮＯ並びに異なるＭＶＮＯに対応するかどうかが区別されることができ、端末に対応するオペレータ構成情報が、取得されたＭＣＣ、ＭＮＣ、及びＧＩＤに従って端末のプリセット構成ライブラリから自動的に取得されてロードされることができ、それによって、１つの端末がさまざまなタイプのオペレータに適合され、加入者経験が改善される。
【００４６】
図３を参照すると、図３は、本発明による、オペレータ構成情報をロードするための方法の第１実施形態のフローチャートである。この方法は、下記を含む。
【００４７】
Ｓ１０１：端末のネットワーク識別情報を取得する。
【００４８】
具体的には、この端末は、携帯電話、ＰＣ、又はデータ・カードなどの通信デバイスであり得る。この実施形態においては、説明のための一例として携帯電話が使用されている。
【００４９】
オペレータ構成情報は、異なるオペレータの異なるパラメータ要件に従って設定される。１つのオペレータは、少なくとも１つの構成パラメータ、たとえば、ダイヤリング・パラメータ又はネットワーク・パラメータを含む構成情報の１つのグループに対応する。
【００５０】
携帯電話のネットワーク識別情報を取得するＳ１０１においては、ネットワーク識別情報は、ＭＣＣ及びＭＮＣを含む。ＭＣＣは、携帯電話が属する国を一意に識別するために使用され、３つの１０進数（コーディング範囲：０００〜９９９）によって形成され、たとえば、中国のＭＣＣは４６０である。ＭＮＣは、携帯電話が属するモバイル・ネットワークを識別するために使用され、２つの１０進数（コーディング範囲：００〜９９）によって形成され、たとえば、チャイナ・モバイルのＭＮＣは００であり、チャイナ・ユニコムのＭＮＣは０１である。ＭＣＣとＭＮＣの組合せは、異なる従来のＭＮＯを区別することができる。
【００５１】
Ｓ１０２：端末がオペレータ構成情報の少なくとも２つのグループに対応するということがネットワーク識別情報に従って決定されたときには、端末の２次ネットワーク識別情報を取得する。
【００５２】
具体的には、携帯電話がオペレータ構成情報の少なくとも２つのグループに対応するということが、Ｓ１０１において取得されたネットワーク識別情報に従って決定されたときには、携帯電話が具体的にどのオペレータに対応するかをＭＣＣ及びＭＮＣのみに従って区別することはできない。なぜなら、１つのオペレータは構成情報の１つのグループに対応するためである。この場合、引き続き携帯電話の２次ネットワーク識別情報を取得するためにＳ１０２が実行される必要があり、該２次ネットワーク識別情報は、グループ識別子ＧＩＤを含む。該ＧＩＤは、携帯電話に対応するオペレータを一意に識別するために使用される。携帯電話のＧＩＤがＳ１０２において取得された後には、携帯電話に対応するオペレータが決定されることができる。結果として、異なるＭＶＮＯが区別されることができ、又はＭＶＮＯとＭＮＯとが区別されることができる。
【００５３】
Ｓ１０３：２次ネットワーク識別情報に従って端末に対応するオペレータ構成情報を取得してロードする。
【００５４】
具体的には、Ｓ１０２において取得された２次ネットワーク識別情報に従って、携帯電話が具体的にどのオペレータに対応するかがＳ１０３において決定されることができ、携帯電話に対応するオペレータ構成情報が正確に取得され、ダイヤリング・パラメータ及びネットワーク・パラメータなど、内部の構成パラメータがロードされる。
【００５５】
本発明のこの実施形態においては、端末のネットワーク識別情報及び２次ネットワーク識別情報を取得することによって、端末がＭＶＮＯ又はＭＮＯ並びに異なるＭＶＮＯに対応するかどうかが区別されることができ、端末に対応するオペレータ構成情報が、取得されたネットワーク識別情報及び２次ネットワーク識別情報に従って端末のプリセット構成ライブラリから自動的に取得されてロードされることができ、それによって、１つの端末がさまざまなタイプのオペレータに適合され、加入者経験が改善される。
【００５６】
図４を参照すると、図４は、本発明による、オペレータ構成情報をロードするための方法の第２実施形態のフローチャートである。この方法は、下記を含む。
【００５７】
Ｓ２０１：端末のネットワーク識別情報を取得し、該ネットワーク識別情報は、モバイル・カントリー・コードＭＣＣ及びモバイル・ネットワーク・コードＭＮＣを含む。
【００５８】
Ｓ２０２：ＭＣＣ及びＭＮＣに対応するオペレータ構成情報のグループの数を決定するためにプリセット構成ライブラリに問い合わせる。
【００５９】
オプション的に、端末がオペレータ構成情報の１つのグループに対応するということが決定されたときには、オペレータ構成情報のその一意のグループがロードされ得る。
【００６０】
オプション的に、端末がオペレータ構成情報のゼロ個のグループに対応するということが決定されたときには、デフォルト構成情報が取得されてロードされ得る。
【００６１】
Ｓ２０３：端末がオペレータ構成情報の少なくとも２つのグループに対応するということがネットワーク識別情報に従って決定されたときには、端末の２次ネットワーク識別情報を取得し、その２次ネットワーク識別情報は、グループ識別子ＧＩＤを含む。
【００６２】
Ｓ２０４：２次ネットワーク識別情報に従って端末に対応するオペレータ構成情報を取得してロードする。
【００６３】
本発明の実施形態においては、端末のＳＩＭカード情報内のＭＣＣ、ＭＮＣ、及びＧＩＤを取得することによって、端末がＭＶＮＯ又はＭＮＯ並びに異なるＭＶＮＯに対応するかどうかが区別されることができ、端末に対応するオペレータ構成情報が、取得されたＭＣＣ、ＭＮＣ、及びＧＩＤに従って端末のプリセット構成ライブラリから自動的に取得されてロードされることができ、それによって、１つの端末がさまざまなタイプのオペレータに適合され、加入者経験が改善される。
【００６４】
上記では、本発明の保護範囲を制限するのではなく、本発明の技術的な解決策の例示的な実施形態を提供しているにすぎない。当業者なら、それらの実施形態を実装するためのプロセスのすべて又は一部を理解することができる。本発明の特許請求の範囲に従って作成されるいかなる均等な変形形態も、本発明の範囲に入る。
【００６５】
（関連出願の相互参照）
本出願は、２０１２年３月２２日に中国特許庁に出願された中国特許出願第２０１２１００７７９５３．９号に対する優先権を主張するものであり、中国特許出願第２０１２１００７７９５３．９号は、その全体が参照によって本明細書に組み込まれる。
【図１】
0005968516.tif 000002
【図２】
0005968516.tif 000003
【図３】
0005968516.tif 000004
【図４】
0005968516.tif 000005